(57)【要約】【課題】  防振装置の軽量化を図り、防振装置のうち支持体又は振動源に取付けるブラケットに弾性部材等を組込んだ部分組立体を、圧入によって効率良く組付け、圧入するときの外力から樹脂製ブラケットを十分に保護する。【解決手段】  液封エンジンマウント１０は、振動源ＥＧに取付ける第１取付部材１１と、支持体ＢＤに取付ける第２取付部材１２と、第１・第２取付部材間を連結した弾性部材１３とを備える。第２取付部材は、弾性部材を連結した金属製筒部材２０と、金属製筒部材を圧入した金属製ブラケット３０と、金属製ブラケットを支持するとともに支持体に取付ける樹脂製ブラケット４０とを備える。金属製ブラケットは、金属製筒部材を圧入する圧入部３１及び圧入しない非圧入部３２を有する。非圧入部は、ゴム部材５０を介して樹脂製ブラケットに埋設した。【選択図】      図１
2006132640.tif 000002
【特許請求の範囲】
【請求項１】
振動源又は支持体に取付ける第１取付部材と、前記支持体又は前記振動源に取付ける筒状の第２取付部材と、これらの第１・第２取付部材間を連結する弾性部材とを備えた防振装置において、
前記第２取付部材は、前記弾性部材を連結した金属製筒部材と、この金属製筒部材を圧入した金属製ブラケットと、この金属製ブラケットを支持するとともに前記支持体又は前記振動源に取付けるように構成した樹脂製ブラケットとを備え、
前記金属製ブラケットは、前記金属製筒部材を圧入する圧入部と、金属製筒部材を圧入することのない非圧入部とを有し、
この非圧入部は、ゴム部材を介して前記樹脂製ブラケットに埋設したことを特徴とする防振装置。
【請求項２】
前記非圧入部は、前記金属製筒部材に対して、この筒部材の軸方向では重なるとともに軸直角方向では離間した構成であり、
前記金属製ブラケットは、前記圧入部と前記非圧入部とを接続する段差状の接続部を一体に形成したことを特徴とする請求項１記載の防振装置。
【発明の詳細な説明】
【技術分野】
【０００１】
本発明は支持体に振動源をマウントする防振装置に関する。
【背景技術】
【０００２】
防振装置は、エンジン等の振動源が発生する振動を吸収することで、振動が支持体に伝達されないようにするものである。このような防振装置としては各種あり、例えば液封式マウントの開発が進められている（例えば、特許文献１−３参照。）。
【特許文献１】特開平８−２４７２０８号公報
【特許文献２】特開平９−１７７８６６号公報
【特許文献３】特開２００１−５０３３１公報
【０００３】
このような従来の液封式の防振装置は、振動源であるエンジンに取付ける第１取付部材と支持体に取付ける筒状の第２取付部材との間をラバー等の弾性部材にて連結し、第２取付部材に取付けたダイヤフラムと弾性部材とにより液室を設け、この液室を主液室と副液室とに仕切部材で仕切り、主液室と副液室との間をオリフィスで連通したものである。オリフィスを介して主液室と副液室との間で作動液が通過することにより、エンジンの振動を減衰させることができる。
【０００４】
ところで近年、防振装置の軽量化やコストダウン等の要求が高まっている。上記従来の液封式の防振装置においては、第２取付部材のうち、支持体に取付けるブラケットを樹脂製品とすることによって、軽量化やコストダウンを図るようにしている。
【０００５】
すなわち、特許文献１の防振装置は、弾性部材が取付けられた筒状の樹脂製ブラケットの内部に仕切部材、ダイヤフラム及び皿状の金属製キャップをこの順に嵌合したというものである。金属製キャップは、樹脂製ブラケットに直接に圧入することで取付けることができる。
【０００６】
特許文献２の防振装置は、弾性部材が取付けられた筒状の樹脂製ブラケットの内部に、筒状の金属製ブラケットをインサート成形によって取付けたというものである。金属製ブラケットは、樹脂製ブラケットの軸方向全長にわたって配置することになる。このようにして、ブラケットを、外側の樹脂製ブラケットと内側の金属製ブラケットの、内外二重構造にした。
金属製ブラケットの内部に仕切部材、ダイヤフラム及び皿状の金属製キャップをこの順に嵌合した後に、金属製ブラケットの一端を径方向内側にかしめることで、これらの部材を取付けることができる。
特許文献３の防振装置についても同様の構成である。
【０００７】
しかしながら、特許文献１においては、金属製キャップを圧入するときに、樹脂製ブラケットに径方向の外力が作用する。外力が過小であると、樹脂製ブラケットに対する金属製キャップの取付けが不完全となる。また、外力が過大であると、樹脂製ブラケットが破壊する心配がある。このようなことから、樹脂製ブラケットや金属製キャップの寸法管理や品質管理を十分に行う必要があり、管理工数が増大するので、改良の余地がある。
【０００８】
また、特許文献１〜３の防振装置においては、仕切部材、ダイヤフラム及び皿状の金属製キャップからなる液封構造部分をブラケットに一つずつ個別に組込むことになる。
ところが、弾性部材や液封構造部分は、振動源の種類に応じて複数種ある。これに対して、ブラケットは１種類ですむことが多いので共用化できる。複数種ある弾性部材や液封構造部分を部分的に組み立てておき、その複数種の部分組立体から、用途に応じたものを選択してブラケットに取付けるようにすれば、組立作業効率を高めるとともに、管理工数を低減することができる。
【０００９】
このように、軽量化等のために樹脂化したブラケットに対して、弾性部材等を組込んだ部分組立体を効率良く組付けるには、ブラケットに対して部分組立体を圧入によって組付けることが好ましい。
しかしながら、単に圧入する構成にしただけでは、ブラケットに部分組立体を圧入するときの力を適切に設定する必要がある。そのためには、各部品の寸法管理や品質管理を十分に行う必要があり、管理工数が増大するので、改良の余地がある。
【発明の開示】
【発明が解決しようとする課題】
【００１０】
本発明は、（１）防振装置の軽量化を図ることができ、（２）防振装置のうち、支持体又は振動源に取付けるブラケットに、弾性部材等を組込んだ部分組立体を圧入によって効率良く組付けることができ、（３）圧入するときの外力から樹脂製ブラケットを十分に保護することができる技術を提供することを課題とする。
【課題を解決するための手段】
【００１１】
請求項１に係る発明は、振動源又は支持体に取付ける第１取付部材と、支持体又は振動源に取付ける筒状の第２取付部材と、これらの第１・第２取付部材間を連結する弾性部材とを備えた防振装置において、
第２取付部材に、弾性部材を連結した金属製筒部材と、この金属製筒部材を圧入した金属製ブラケットと、この金属製ブラケットを支持するとともに支持体又は振動源に取付けるように構成した樹脂製ブラケットとを備え、
金属製ブラケットに、金属製筒部材を圧入する圧入部と、金属製筒部材を圧入することのない非圧入部とを有し、
この非圧入部を、ゴム部材を介して樹脂製ブラケットに埋設したことを特徴とする。
【００１２】
請求項２に係る発明は、非圧入部が、金属製筒部材に対して、この筒部材の軸方向では重なるとともに軸直角方向では離間した構成であり、金属製ブラケットに、圧入部と非圧入部とを接続する段差状の接続部を一体に形成したことを特徴とする。
【発明の効果】
【００１３】
請求項１に係る発明では、第２取付部材のうち、支持体又は振動源に取付ける部分を、樹脂製ブラケットにて構成したので、防振装置の軽量化を図ることができる。
さらに請求項１に係る発明では、金属製ブラケットのうち非圧入部を、ゴム部材を介して樹脂製ブラケットに埋設したものである。弾性部材が連結された金属製筒部材を金属製ブラケットの圧入部に圧入するときに、圧入部に作用した径方向の外力を、非圧入部やゴム部材によって緩和することができる。この結果、圧入時に樹脂製ブラケットに作用する外力は減少する。従って、圧入部に金属製筒部材を圧入するときの外力から、樹脂製ブラケットを十分に保護することができる。
しかも、圧入部に金属製筒部材を圧入するときの力を十分に適切な値に設定することができる。このため、防振装置のうち、支持体又は振動源に取付ける樹脂製ブラケットに、弾性部材等を組込んだ部分組立体を圧入によって効率良く組付けることができる。
【００１４】
請求項２に係る発明では、金属製ブラケットのうち非圧入部を、金属製筒部材に対して、筒部材の軸方向では重なるとともに軸直角方向では離間するように構成し、さらに、圧入部に段差状の接続部を介して一体に形成したものである。従って、圧入部に作用した径方向の外力を、非圧入部やゴム部材の他に、段差状の接続部によっても緩和することができる。この結果、圧入時に樹脂製ブラケットに作用する外力を、より一層減少させることができる。圧入するときの外力から、樹脂製ブラケットをより一層十分に保護することができる。
【発明を実施するための最良の形態】
【００１５】
本発明を実施するための最良の形態を、添付図に基づいて以下に説明する。
図１は本発明に係る防振装置の断面図である。図２は本発明に係る防振装置の分解図であり、図１に対応させて示した。
図１に示すように、防振装置１０は、車両における車体ＢＤ（支持体）とエンジンＥＧ（振動源）との間に配置され、エンジンＥＧを振動を防止しつつ支持する防振支持機構であり、車両用液封エンジンマウントの機能を有する。
【００１６】
図１及び図２に示すように、防振装置１０は、動力源としてのエンジンＥＧに取付ける第１取付部材１１と、車体ＢＤに取付ける筒状の第２取付部材１２と、これらの第１・第２取付部材１１，１２間を連結した弾性部材１３と、この弾性部材１３から距離を隔てて第２取付部材１２に固定したダイヤフラム１４と、少なくとも弾性部材１３及びダイヤフラム１４により区画した第１液室１５と、この第１液室１５を弾性部材１３側の主液室１６及びダイヤフラム１４側の副液室１７に仕切るように第２取付部材１２に固定した仕切部材１８とを備える。
【００１７】
これらの第１・第２取付部材１１，１２、弾性部材１３、ダイヤフラム１４、第１液室１５及び仕切部材１８は、防振装置１０における上下方向の軸心ＣＬ上に配列したものである。主液室１６及び副液室１７は作動液Ｌｑを封入する空間である。
以下、防振装置１０について詳細に説明する。
【００１８】
第１取付部材１１は、エンジンブラケットＢｅを介してエンジンＥＧに取付ける金属製部材である。
第２取付部材１２は、弾性部材１３を連結した金属製筒部材２０と、この金属製筒部材２０を圧入した金属製ブラケット３０と、この金属製ブラケット３０を支持するとともに車体ＢＤに取付けるように構成した樹脂製ブラケット４０とからなる。
弾性部材１３は、第１取付部材１１と第２取付部材１２との間で伝達される振動を、弾性変形することにより吸収するゴムブロックである。
【００１９】
上記第２取付部材１２について説明すると、金属製筒部材２０は、例えば鋼材やアルミニウム合金材からなる円筒状の部材である。金属製筒部材２０の詳細については後述する。
樹脂製ブラケット４０は、円筒状の筒部４１と、この筒部４１から軸直角方向へ延びた取付部４２とからなる、一体成形品である。取付部４２は、筒部４１の下端から径外方へ延びたブラケットであって、車体ＢＤに重ねてボルト止めにて取付ける部材である。
【００２０】
金属製ブラケット３０は、例えば鋼材やアルミニウム合金材からなる円筒状の部材であって、金属製筒部材２０を圧入する円筒状の圧入部３１と、金属製筒部材２０を圧入することのない円筒状の非圧入部３２と、これらの圧入部３１と非圧入部３２とを接続する接続部３３と、金属製筒部材２０の抜け止めをなすストッパ部３４とからなる、一体成形品である。このような金属製ブラケット３０は、例えば一定厚みを有する板材やパイプ材のプレス成形品からなり、径方向へ若干弾性変形することが可能である。
ストッパ部３４、圧入部３１、接続部３３及び非圧入部３２は、軸心ＣＬ上にエンジンＥＧ側から車体ＢＤ側へ向かってこの順に、互いに連なって配列したものである。
【００２１】
圧入部３１の径よりも非圧入部３２の径は大きい。非圧入部３２は、圧入部３１に段差状の接続部３３を介して接続することになる。接続部３３は、圧入部３１と非圧入部３２とを径方向に段差を設けて繋ぐように、環状円板にて構成した部材である。図２に示すように、圧入部３１における軸方向の長さＸ１は、非圧入部３２における軸方向の長さＸ２よりも大きく、例えば２倍程度である。
【００２２】
さらに非圧入部３２は、緩衝材としてのゴム部材５０を介して、樹脂製ブラケット４０に埋設したことを特徴とする。詳しく述べると、非圧入部３２の全面（外面及び内面）を一定厚みのゴム部材５０にて被覆し、さらに筒部４１内に一体成形等によって埋設することで、樹脂製ブラケット４０に金属製ブラケット３０の基端を取付けたものである。ゴム部材５０は、非圧入部３２に一体成形や焼き付け等によって固着すればよい。
この場合、筒部４１の上端部（エンジンＥＧ側）に非圧入部３２を埋設することになる。金属製ブラケット３０のうち、圧入部３１及び接続部３３は、樹脂製ブラケット４０の上端からエンジンＥＧ側へ露出している。
【００２３】
さらに非圧入部３２は、接続部３３とは反対側の縁を径外方へ若干折り返すことで、縁に外縁部３２ａを備える。外縁部３２ａをも筒部４１に埋設したので、樹脂製ブラケット４０に対する金属製ブラケット３０の抜け止めを図ることができる。
【００２４】
以上の説明から明らかなように、金属製ブラケット３０を樹脂製ブラケット４０に組み付けることによって、図２に示すように、１つの部分組立体６１（以下、第１部分組立体６１と言う。）として組み立てることができる。
なお、ストッパ部３４は、圧入部３１の先端に設けた小径の括れ部分からなる。
【００２５】
図３は本発明に係る弾性部材、ダイヤフラム、仕切部材、金属製筒部材周りの分解図である。図２及び図３に示すように金属製筒部材２０は、大径の第１円筒部２１と、第１円筒部２１の一端に連なる環状円板２２と、環状円板２２に連なる小径の第２円筒部２３とを、一体に形成したものである。このような金属製筒部材２０は、例えば一定厚みを有する板材やパイプ材のプレス成形品からなる。
第１円筒部２１は、弾性部材１３を収納するとともに取付け、金属製ブラケット３０の圧入部３１に嵌合する部分である。第２円筒部２３は、ダイヤフラム１４及び仕切部材１８を取付ける部分である。
【００２６】
ダイヤフラム１４は、第２円筒部２３の下端（図１に示す車体ＢＤ側）を塞ぐとともに、仕切部材１８側へ凸となるように湾曲した、薄膜状ゴム材等の弾性材からなる。従って、ダイヤフラム１４は防振装置１０の軸方向に変位可能である。
さらにダイヤフラム１４は、外周の縁で第２円筒部２３の下端を包み込むように形成するとともに、外周の縁に一体に形成した被覆膜１４ａによって、金属製筒部材２０の内面の全体を被覆した構成である。被覆膜１４ａは、一定厚みを有した薄膜であり、金属製筒部材２０に一体成形や焼き付け等によって固着すればよい。
【００２７】
ダイヤフラム１４を一体的に設けた金属製筒部材２０内に、仕切部材１８、側部仕切り部材９０（後述する）、弾性部材１３をこの順に組付けた後に、第１円筒部２１の上端の縁部を径方向の内側へ折り返すことによって、１つの部分組立体６２（以下、第２部分組立体６２と言う。）として組み立てることができる。
このような第２部分組立体６２における第１円筒部２１を、金属製ブラケット３０の圧入部３１に圧入し、ストッパ部３４に当たるまで嵌合させることで、図１に示すように、樹脂製ブラケット４０に弾性部材１３を含む第２部分組立体６２を簡単に取付けて、防振装置１０の組立を完成させることができる。
【００２８】
ところで、図２に示すように、第１円筒部２１における軸方向の長さＸ３は、圧入部３１における軸方向の長さＸ１よりも大きく、例えば２倍程度である。このため、第１円筒部２１のうち、圧入部３１に嵌合した残りの部分は樹脂製ブラケット４０内に収納されることになる。金属製筒部材２０の下端は取付部４２の取付け面とほぼ同じ高さになる。
【００２９】
この結果、図１に示す如く非圧入部３２は、金属製筒部材２０に対して、この筒部材２０の軸方向（軸心ＣＬの方向）では重なるとともに、軸直角方向（軸心ＣＬに対して直角方向）では径外方へ一定寸法だけ離間した構成となる。
【００３０】
以上の説明をまとめると、次の通りである。
図１に示すように、第２取付部材１２のうち、車体ＢＤ（支持体）又はエンジンＥＧ（振動源）に取付ける部分を、樹脂製ブラケット４０にて構成したので、防振装置１０の軽量化を図ることができる。
【００３１】
さらに防振装置１０は、図２に示すように、金属製ブラケット３０のうち非圧入部３２を、ゴム部材５０を介して樹脂製ブラケット４０に埋設したものである。弾性部材１３が連結された金属製筒部材２０を金属製ブラケット３０の圧入部３１に圧入するときに、圧入部３１に作用した径方向の外力ｆｐを、非圧入部３２やゴム部材５０によって緩和することができる。この結果、圧入時に樹脂製ブラケット４０に作用する外力は減少する。従って、圧入部３１に金属製筒部材２０を圧入するときの外力から、樹脂製ブラケット４０を十分に保護することができる。
【００３２】
しかも、圧入部３１に金属製筒部材２０を圧入するときの力ｆｐを十分に適切な値に設定することができる。このため、防振装置１０のうち、図１に示す車体ＢＤ又はエンジンＥＧに取付ける樹脂製ブラケット４０に、弾性部材１３等を組込んだ第２部分組立体６２を圧入によって効率良く組付けることができる。
【００３３】
さらに防振装置１０は、図１に示すように、金属製ブラケット３０のうち非圧入部３２を、金属製筒部材２０に対して、筒部材２０の軸方向では重なるとともに軸直角方向では離間するように構成し、さらに、圧入部３１に段差状の接続部３３を介して一体に形成したものである。従って、圧入部３１に作用した径方向の外力ｆｐ（図２参照）を、非圧入部３２やゴム部材５０の他に、段差状の接続部３３によっても緩和することができる。この結果、圧入時に樹脂製ブラケット４０に作用する外力を、より一層減少させることができる。圧入するときの外力から、樹脂製ブラケット４０をより一層十分に保護することができる。
【００３４】
次に、弾性部材１３、仕切部材１８及び側部仕切り部材９０について説明する。
図４（ａ）〜（ｄ）は本発明に係る弾性部材の構成図である。（ａ）は弾性部材１３の平面構成を示す。（ｂ）は（ａ）のｂ−ｂ線断面構成を示す。（ｃ）は（ａ）のｃ矢視方向の構成を示す。（ｄ）は（ｂ）のｄ−ｄ線断面構成を示す。
【００３５】
図４に示すように、弾性部材１３は、第１取付部材１１を一体化した上端部７１から下端部７２にかけて概ね円柱状を呈した部材であって、下端部７２から下方へ大きく開放した下部空洞部７３と、側部から側方へ大きく開放した前後一対又は左右一対の側部空洞部（第１側部空洞部７４及び第２側部空洞部７５）とを有する。
【００３６】
ここで、図４（ａ）及び（ｄ）に示すように、弾性部材１３を上下方向から見たときに、弾性部材１３の軸心ＣＬを通る一方の直線を第１線Ｌ１とし、軸心ＣＬを通り第１線Ｌ１に直交する直線を第２線Ｌ２とする。第１・第２側部空洞部７４，７５は、第１線Ｌ１に対して、互いに線対称形である。
【００３７】
弾性部材１３のうち、上半分の上端部７１の径は、下半分の下端部７２の径よりも大きい。上端部７１の外周面は上の芯金７６にて覆われ、また、下端部７２の外周面は下の芯金７７にて覆われた構成である。
上端部７１と下端部７２との間の段差部分には、上端部７１から下端部７２へ向かって延びる一対の位置決め凸部７８，７８を有する。これらの位置決め凸部７８，７８は、第１線Ｌ１上に配列している。
【００３８】
図５（ａ）〜（ｄ）は本発明に係る仕切部材の構成図である。（ａ）は仕切部材１８の平面構成を示す。（ｂ）は（ａ）のｂ−ｂ線断面構成を示す。（ｃ）は（ａ）のｃ−ｃ線断面構成を示す。（ｄ）は（ｂ）のｄ矢視方向の構成を示す。
【００３９】
図５に示すように、仕切部材１８は中空円盤状の樹脂成形品であり、上端に一体に形成したフランジ８１を有する。この仕切部材１８は、軸心ＣＬ上に形成した中空部８２に、ゴム材等からなる円板状の弾性仕切り板８３を嵌合し、その上からカバープレート８４を重ねて、熱カシメ等によって固定したものである。カバープレート８４は、弾性仕切り板８３に臨む複数の貫通孔８４ａを有する金属製薄板である。
【００４０】
弾性仕切り板８３は、図２に示すように主液室１６や副液室１７に臨んでいる。弾性仕切り板８３が弾性変位することによって、主液室１６や副液室１７の内圧の変化を吸収するとともに、中周波数領域の振動に対する動特性を高めることができる。
【００４１】
さらに仕切部材１８は、外周面８５に形成した外周溝８６を有する。外周溝８６の一端８６ａは仕切部材１８の上端面８７を介してカバープレート８４の貫通孔８４ｂに連通する。外周溝８６の他端８６ｂは仕切部材１８の下端面８８に連通する。図５（ａ）に示すように、外周溝８６は一端８６ａから図時計回りに約３１５°だけ形成し、その端を他端８６ｂとしたものである。
【００４２】
仕切部材１８の取付けは、次のように行う。図３に示すように、仕切部材１８を金属製筒部材２０内に入れて、第２円筒部２３の内面に張ってある被覆膜１４ａに圧入し、フランジ８１を環状円板２２に重ねる。この結果、図２に示すように、仕切部材１８を金属製筒部材２０に取付けることができる。
【００４３】
被覆膜１４ａに仕切部材１８を圧入することで、被覆膜１４ａに仕切部材１８の外周面８５を若干食い込ませて、液封性を確保しつつ固定することができる。このようにして、被覆膜１４ａと外周溝８６とにより連通路８９を構成した。また、仕切部材１８と下部空洞部７３とによって主液室１６を構成した。
連通路８９は、図２に示す主液室１６と副液室１７との間を連通するオリフィスの機能を有する。以下、連通路８９のことを「第１オリフィス８９」と言い換えることにする。
【００４４】
図６（ａ）〜（ｃ）は本発明に係る側部仕切り部材の構成図である。（ａ）は側部仕切り部材９０の平面構成を示す。（ｂ）は（ａ）のｂ矢視方向の構成を示す。（ｃ）は（ａ）のｃ矢視方向の構成を示す。
【００４５】
図６（ａ）に示すように、側部仕切り部材９０は平面視略Ｃ形状の樹脂成形品である。このような側部仕切り部材９０は、図４（ｂ），（ｃ）及び図６（ａ）に示すように、弾性部材１３の下端部７２に液封性を確保しつつ嵌合することによって取付けることができ、上端に一対の位置決め凹部９１，９１を有する。これらの位置決め凹部９１，９１は、第１線Ｌ１上に配列している。図４及び図６に示すように、位置決め凸部７８，７８に位置決め凹部９１，９１を嵌合することにより、弾性部材１３に対する側部仕切り部材９０の周方向の位置決めをすることができる。
【００４６】
図６に示すように側部仕切り部材９０は、平面視略Ｃ形を呈する側壁９２の外周面９２ａに形成した、迷路状の外溝９３を有する。この迷路状の外溝９３の一端９３ａは、側部仕切り部材９０におけるＣ形の一方の切欠き端９４の近傍に且つ上部で、内外貫通した貫通孔である。また、外溝９３の他端９３ｂは、側部仕切り部材９０において一端９３ａの斜め下方で、内外貫通した貫通孔である（図６（ｂ）参照）。
【００４７】
このような外溝９３は、一端９３ａから側壁９２の外周面９２ａに沿って平面視時計回りに回り、他方の切欠き端９５の近傍で下方へ降りた後に、元の一方の切欠き端９４側へ平面視反時計回りに回り、その途中で若干上に延びた後に、他端９３ｂに連なる。図６（ａ）に示すように、一端９３ａは第１側部空洞部７４に連通し、他端９３ｂは第２側部空洞部７５に連通する。なお、切欠き端９４，９５は第２線Ｌ２側に向いている。
【００４８】
弾性部材１３及び側部仕切り部材９０の取付けは、次のように行う。図３に示すように、弾性部材１３に側部仕切り部材９０を圧入して取付け、これらの弾性部材１３及び側部仕切り部材９０を金属製筒部材２０内に入れて、第２円筒部２３の内面に張ってある被覆膜１４ａに圧入し、各下端面を環状円板２２に重ねる。この結果、図２に示すように、弾性部材１３及び側部仕切り部材９０を金属製筒部材２０に取付けることができる。
【００４９】
被覆膜１４ａに側部仕切り部材９０を圧入することで、被覆膜１４ａに側部仕切り部材９０の外周面９２ａを若干食い込ませて、液封性を確保しつつ固定することができる。このようにして、被覆膜１４ａと外溝９３とにより迷路状の連通路９６を構成した。
また、側部仕切り部材９０と第１側部空洞部７４とによって第１側部液室１０１を構成し、側部仕切り部材９０と第２側部空洞部７５とによって第２側部液室１０２を構成した。第１側部液室１０１及び第２側部液室１０２の組合せ構造は第２液室１０３をなす。第２液室１０３は、作動液Ｌｑを封入する空間である。
【００５０】
上記迷路状の連通路９６は、図２に示す第１側部液室１０１と第２側部液室１０２との間を連通するオリフィスの機能を有する。以下、連通路９６のことを「第２オリフィス９６」と言い換えることにする。
【００５１】
次に、上記構成の防振装置１０による振動減衰作用について説明する。
図１に示すように、エンジンＥＧから防振装置１０に軸方向（軸心ＣＬの方向）の振動が作用した場合には、作動液Ｌｑが第１オリフィス８９を通って主・副液体室１６，１７間を流れるとともに、弾性部材１３が弾性変形することによって、エンジンＥＧの振動を減衰させることができる。
【００５２】
また、車両のローリング運動等に伴って、エンジンＥＧから防振装置１０に軸直角方向の振動が作用した場合には、作動液Ｌｑが第２オリフィス９６を通って第１・第２側部液室１０１，１０２間を流れるとともに、弾性部材１３が弾性変形することによって、制振することができる。
【００５３】
次に、防振装置１０の変形例について、図７及び図８に基づき説明する。
図７は本発明に係る防振装置（変形例）の断面図である。図８は本発明に係る防振装置（変形例）の分解図であり、図７に対応させて示した。
【００５４】
図７及び図８に示すように、変形例の防振装置１０Ａは、金属製ブラケット３０のうち、非圧入部３２の他に圧入部３１の外周部分をも、緩衝材としてのゴム部材５０を介して、樹脂製ブラケット４０に埋設したことを特徴とする。
詳しく述べると、樹脂製ブラケット４０における筒部４１の上端を、金属製ブラケット３０におけるストッパ部３４の部分まで延ばし、また、筒部４１に合わせてゴム部材５０もストッパ部３４の部分まで延ばした。
【００５５】
ゴム部材５０のうち、圧入部３１の外周部分を被覆する圧入側被覆部５１の厚みは、非圧入部３２を被覆する非圧入側被覆部５２の厚みよりも大きく、例えば３〜５倍程度である。なお、上記図２に示す非圧入部３２の縁に外縁部３２ａを設けることは、変形例の防振装置１０Ａにおいては任意である。
【００５６】
変形例の防振装置１０Ａにおける他の構成については、上記図１〜図６に示す実施例の構成に対して、形状が多少相違するものの実質的に同じ構成なので、同一符号を付し、その説明を省略する。
【００５７】
このような変形例の防振装置１０Ａでは、上記図１〜図６に示す実施例における作用、効果を奏するとともに、さらに次のような作用、効果を奏する。
図８に示すように、金属製筒部材２０を圧入部３１に圧入するときには、圧入部３１に径方向の外力ｆｐが作用する。これに対して変形例の防振装置１０Ａは、圧入部３１の外周部分をも、ゴム部材５０を介して樹脂製ブラケット４０に埋設したので、圧入部３１に作用した径外方への外力ｆｐを、ゴム部材５０の圧入側被覆部５１を介して、樹脂製ブラケット４０の筒部４１にて支えることができる。このため、外力ｆｐによって金属製ブラケット３０の取付け基端、すなわち非圧入部３２並びに非圧入側被覆部５２を介して樹脂製ブラケット４０に作用するモーメントＭｏを、緩和することができる。この結果、圧入時に樹脂製ブラケット４０に作用する外力をより一層減少させることができる。従って、圧入部３１に金属製筒部材２０を圧入するときの外力から、樹脂製ブラケット４０をより一層十分に保護することができる。
【００５８】
なお、本発明は実施の形態では、防振装置１０，１０Ａは車両用液封エンジンマウントに限定するものではなく、支持体ＢＤと振動源ＥＧとの間に配置され、振動源ＥＧを振動を防止しつつ支持する構成であればよい。
また、第１取付部材１１は振動源ＥＧと支持体ＢＤとの一方に取付けるとともに、第２取付部材１２は振動源ＥＧと支持体ＢＤとの他方に取付ける構成であればよい。
【産業上の利用可能性】
【００５９】
本発明の防振装置１０，１０Ａは、車体ＢＤの前部に搭載したエンジンＥＧにて前輪を駆動する駆動方式の車両において、車体ＢＤ前部とエンジンＥＧ前部との間に配置され、エンジンＥＧを振動防止をしつつ支持する構成に好適である。
【図面の簡単な説明】
【００６０】
【図１】本発明に係る防振装置の断面図である。
【図２】本発明に係る防振装置の分解図である。
【図３】本発明に係る弾性部材、ダイヤフラム、仕切部材、金属製筒部材周りの分解図である。
【図４】本発明に係る弾性部材の構成図である。
【図５】本発明に係る仕切部材の構成図である。
【図６】本発明に係る側部仕切り部材の構成図である。
【図７】本発明に係る防振装置（変形例）の断面図である。
【図８】本発明に係る防振装置（変形例）の分解図である。
【符号の説明】
【００６１】
１０，１０Ａ…防振装置、１１…第１取付部材、１２…第２取付部材、１３…弾性部材、２０…金属製筒部材、３０…金属製ブラケット、３１…圧入部、３２…非圧入部、３３…接続部、４０…樹脂製ブラケット、５０…ゴム部材、ＢＤ…支持体（車体）、ＥＧ…振動源（エンジン）、Ｍｏ…モーメント、ｆｐ…径方向の外力。
【図１】
2006132640.tif 000003
【図２】
2006132640.tif 000004
【図３】
2006132640.tif 000005
【図４】
2006132640.tif 000006
【図５】
2006132640.tif 000007
【図６】
2006132640.tif 000008
【図７】
2006132640.tif 000009
【図８】
2006132640.tif 000010